(57)【要約】【課題】ワイパーブレードの形状に適合した、より簡易な構造のワイパーブレード包装袋およびその製造方法を提供すること。【解決手段】ワイパーブレード用包装袋（１）は、ワイパーブレード（４０）を内部に収容するものである。ワイパーブレード用包装袋（１）は、一方側縁（１０ａ）および他方側縁（１０ｂ）を有する、長尺状の表シート（１０）と、一方側縁および他方側縁を有し、その一方側縁が表シートの一方側縁に固着される、長尺状の裏シート（２０）と、一方側縁および他方側縁を有し、その一方側縁が表シートの他方側縁に固着され、その他方側縁が裏シートの他方側縁に固着される、長尺状のガゼットシート（３０）とを備える。【選択図】図２
2019218094.tif 000002
【特許請求の範囲】
【請求項１】
ワイパーブレードを内部に収容するワイパーブレード用包装袋において、
一方側縁および他方側縁を有する、長尺状の表シートと、
一方側縁および他方側縁を有し、その一方側縁が前記表シートの一方側縁に固着される、長尺状の裏シートと、
一方側縁および他方側縁を有し、その一方側縁が前記表シートの他方側縁に固着され、その他方側縁が前記裏シートの他方側縁に固着される、長尺状のガゼットシートとを備えることを特徴とする、ワイパーブレード用包装袋。
【請求項２】
前記表シート、前記裏シートおよび前記ガゼットシートの長手方向の一方端は、互いに固着されて閉鎖端となり、
前記表シート、前記裏シートおよび前記ガゼットシートの長手方向の他方端は、開口する開口端となる、請求項１に記載のワイパーブレード用包装袋。
【請求項３】
前記閉鎖端は、前記ガゼットシートの一方側縁領域が前記表シートに固着されており、前記ガゼットシートの他方側縁領域が前記裏シートに固着されており、
前記表シートおよび前記裏シートにおける前記ガゼットシートに固着されていない部分は、互いに固着されている、請求項２に記載のワイパーブレード用包装袋。
【請求項４】
前記開口端から下方に離れた位置において、ミシン目または線シールによって形成される折り返し部が設けられ、
前記折り返し部で裏側に折り返すことでヘッダー部が形成される、請求項２または３に記載のワイパーブレード用包装袋。
【請求項５】
前記ヘッダー部には、前記表シートおよび前記裏シートを重ね合わせて、前記折り返し部で折り返した場合に重なる位置において、第１貫通孔と、前記第１貫通孔と長手方向に間隔をあけて設けられる第２貫通孔とが設けられ、
前記第１貫通孔は、前記第２貫通孔よりも小さい、請求項４に記載のワイパーブレード用包装袋。
【請求項６】
ワイパーブレードを内部に収容するワイパーブレード用包装袋の製造方法において、
一方側縁および他方側縁を有する、長尺状の表シートと、一方側縁および他方側縁を有する、長尺状の裏シートと、一方側縁および他方側縁を有する、長尺状のガゼットシートとを準備する工程と、
前記表シートの他方側縁および前記裏シートの他方側縁の間にガゼットシートを挿入する工程と、
前記表シートの一方側縁と前記裏シートの一方側縁、前記表シートの他方側縁と前記ガゼットシートの一方側縁、および、前記裏シートの他方側縁と前記ガゼットシートの他方端部とを固着する工程とを備えることを特徴とする、ワイパーブレード用包装袋の製造方法。
【発明の詳細な説明】
【技術分野】
【０００１】
この発明は、ワイパーブレード用包装袋およびその製造方法に関し、特に、ワイパーブレードを内部に収容するワイパーブレード用包装袋およびその製造方法に関する。
【背景技術】
【０００２】
一般的に、たとえば自動車などの窓ガラスに付着した雨水や汚れなどを拭くワイパーブレードにおいて、合成ゴムの部分は、消耗品であり、使用するにつれて摩耗するため、交換できることが知られている。ワイパーブレードの交換は、容易にできるため、自動車の使用者自身が行うことができる。交換部品のワイパーブレード（ワイパー替えゴム単体を含む）は、包装袋に包装され市販されている。
【０００３】
ワイパーブレードを包装する包装袋として、たとえば特開昭６３−２２３６６号公報（特許文献１）、特開平７−２５１８６２号公報（特許文献２）、実用新案登録第３０８５９７８号公報（特許文献３）が挙げられる。
【０００４】
特許文献１および特許文献２には、台紙などの堅い板状部材と、商品の形に合わせて成型された透明なプラスチック部材とで形成されたブリスターパック内に、ワイパーブレードを収容することが開示されている。特許文献３には、ワイパーブレードの包装袋を廃棄せず、傘袋として有効活用することが開示されている。
【先行技術文献】
【特許文献】
【０００５】
【特許文献１】特開昭６３−２２３６６号公報
【特許文献２】特開平７−２５１８６２号公報
【特許文献３】実用新案登録第３０８５９７８号公報
【発明の概要】
【発明が解決しようとする課題】
【０００６】
特許文献１および特許文献２のワイパーブレードの包装袋は、ブリスターパックであるため、ワイパーブレードの形状に合わせて成形するためには、プラスチック部材の形状のを工夫する必要がある。また、特許文献３の包装袋は、使用後の用途まで考慮したものであるため、ワイパーブレードの包装袋として余分な取っ手が取り付けられており、構造が複雑であった。
【０００７】
本発明は、上記のような課題を解決するためになされたものであって、その目的はワイパーブレードの形状に適合した、より簡易な構造のワイパーブレード包装袋およびその製造方法を提供することを目的とする。
【課題を解決するための手段】
【０００８】
本発明の一態様に係るワイパーブレード用包装袋は、ワイパーブレードを内部に収容するものである。ワイパーブレード用包装袋は、一方側縁および他方側縁を有する、長尺状の表シートと、一方側縁および他方側縁を有し、その一方側縁が表シートの一方側縁に固着される、長尺状の裏シートと、一方側縁および他方側縁を有し、その一方側縁が表シートの他方側縁に固着され、その他方側縁が裏シートの他方側縁に固着される、長尺状のガゼットシートとを備える。
【０００９】
好ましくは、表シート、裏シートおよびガゼットシートの長手方向の一方端は、互いに固着されて閉鎖端となり、表シート、裏シートおよびガゼットシートの長手方向の他方端は、開口する開口端となる。
【００１０】
好ましくは、閉鎖端は、ガゼットシートの一方側縁領域がシートに固着されており、ガゼットシートの他方側縁領域が裏シートに固着されており、表シートおよび裏シートにおけるガゼットシートに固着されていない部分は、互いに固着されている。
【００１１】
好ましくは、開口端から下方に離れた位置において、ミシン目または線シールによって形成される折り返し部が設けられ、折り返し部で裏側に折り返すことでヘッダー部が形成される。
【００１２】
好ましくは、ヘッダー部には、表シートおよび裏シートを重ね合わせて、折り返し部で折り返した場合に重なる位置において、第１貫通孔と、第１貫通孔と長手方向に間隔をあけて設けられる第２貫通孔とが設けられ、第１貫通孔は、第２貫通孔よりも小さい。
【００１３】
本発明の一態様に係るワイパーブレード用包装袋の製造方法は、ワイパーブレードを内部に収容するワイパーブレード用包装袋の製造方法において、一方側縁および他方側縁を有する、長尺状の表シートと、一方側縁および他方側縁を有する、長尺状の裏シートと、一方側縁および他方側縁を有する、長尺状のガゼットシートとを準備する工程と、表シートの他方側縁および裏シートの他方側縁の間にガゼットシートを挿入する工程と、表シートの一方側縁と裏シートの一方側縁、表シートの他方側縁とガゼットシートの一方側縁、および、裏シートの他方側縁とガゼットシートの他方端部とを固着する工程とを備える。
【発明の効果】
【００１４】
本発明によれば、ワイパーブレードの形状に適合した、より簡易な構造のワイパーブレード包装袋およびその製造方法を提供することを目的とする。
【図面の簡単な説明】
【００１５】
【図１】本発明の実施の形態に係るワイパーブレード包装袋の正面図である。
【図２】本発明の実施の形態に係るワイパーブレード包装袋内にワイパーブレードを収容した状態を示す正面図である。
【図３】本発明の実施の形態に係るワイパーブレード包装袋の平面図である。
【図４】本発明の実施の形態に係るワイパーブレード包装袋の底面図である。
【図５】図２におけるＶ−Ｖ線に沿った断面図である。
【図６】本発明の実施の形態に係るワイパーブレード包装袋の上方部分を拡大した図であり、（ａ）は正面図であり、（ｂ）は背面図である。
【図７】図２におけるＶＩＩ−ＶＩＩ線に沿った断面図である。
【図８】本発明の実施の形態に係るワイパーブレード包装袋の製造方法を示す模式図である。
【発明を実施するための形態】
【００１６】
本発明の実施の形態について図面を参照しながら詳細に説明する。なお、図中同一または相当部分には同一符号を付してその説明は繰り返さない。
【００１７】
＜ワイパーブレード用包装袋について＞
図１〜図７を参照しながら、本実施の形態に係るワイパーブレード用包装袋１の一例を説明する。図１，２において、矢印Ａ１で示す長手方向は上下方向であり、矢印Ａ２で示す幅方向は左右方向である。なお、図２におけるワイパーブレード４０は、理解容易のため、二点鎖線にして示す。
【００１８】
図１に示すように、本実施の形態に係るワイパーブレード用包装袋１は、ワイパーブレード４０を内部に収容する包装袋である。以下の説明において、ワイパーブレード用包装袋１を、単に包装袋という。
【００１９】
ワイパーブレード４０は、自動車などの窓ガラスに付着した雨水や汚れなどを拭くものである。本実施の形態においてワイパーブレード４０は、ワイパーのゴムと、ゴムを保持する金具とを備える全体構造だけでなく、便宜上、金具を備えない替えゴムだけの単体構造も含むものとする。
【００２０】
図１および図２に示すように、包装袋１は、長尺状の袋である。包装袋１は、上部が開口し、側部および下部がそれぞれ閉塞されている。包装袋１は、ガゼット（まち）を有するが、一般的な包装袋とは異なり、ガゼットは、包装袋１の両側部に設けられておらず、一方の側部（紙面の右側）だけに設けられている。
【００２１】
包装袋１は、略全体が合成樹脂製フィルムで構成されている。合成樹脂としては、種々の素材のものを使用することができるが、たとえばポリエチレン、ポリプロピレンなどが主として使用される。包装袋１は、上下方向の寸法がたとえば５００ｍｍ以上１０００ｍｍ以下であり、幅方向の寸法がたとえば２０ｍｍ以上１００ｍｍ以下である。
【００２２】
図３に示すように、包装袋１は、表シート１０と、裏シート２０と、ガゼットシート３０とを備える。表シート１０は、長尺状であり、一方側縁１０ａおよび他方側縁１０ｂを有する。裏シート２０は、長尺状であり、一方側縁２０ａおよび他方側縁２０ｂを有する。表シート１０および裏シート２０は、いずれも矩形状であり、略同一形状である。
【００２３】
表シート１０の表面には、表模様１１が付されており、裏シート２０の表面には、裏模様２１が付されている。これらの模様は、たとえば図柄、商品名などだけではなく、ワイパーブレードの説明書きなども含む。本実施の形態では、表シート１０の表模様１１は、商品名および図柄等であり、裏シート２０の裏模様２１は、ワイパーブレードの説明書き等である。
【００２４】
ガゼットシート３０は、長尺状であり、一方側縁３０ａおよび他方側縁３０ｂを有する。ガゼットシート３０は、矩形状であるが、二つ折りにされ、折れ目が袋内部（紙面左側）に向けられている。
【００２５】
図３に示すように、包装袋１において、表シート１０の一方側縁１０ａと裏シート２０の一方側縁２０ａが固着されている。表シート１０の他方側縁１０ｂとガゼットシート３０の一方側縁３０ａが固着されている。裏シート２０の他方側縁２０ｂとガゼットシート３０の他方側縁３０ｂが固着されている。これらの固着は、たとえば熱シール（ヒートシール）で行われ、一定の幅を有していることが好ましく、本実施の形態では、たとえば２ｍｍ以上１５ｍｍ以下程度である。これにより、包装袋１は、側部が閉塞される。
【００２６】
包装袋１の長手方向の一方端（紙面の下方）は、表シート１０、裏シート２０およびガゼットシート３０が互いに固着されて閉鎖端２となっている。図４を参照して、ガゼットシート３０は、上述のように二つ折りされており、一方側縁３０ａ側に位置する一方側縁領域３１と、他方側縁３０ｂ側に位置する他方側縁領域３２とを含む。包装袋１の下方において、ガゼットシート３０の一方側縁領域３１は、表シート１０に固着されている。ガゼットシート３０の他方側縁領域３２は、裏シート２０に固着されている。さらに、包装袋１の下方において、表シート１０および裏シート２０におけるガゼットシート３０に固着されていない部分は、互いに固着されている。これにより、包装袋１の下方において、閉鎖端２が形成される。
【００２７】
包装袋１の長手方向の他方端（紙面の上方）は、開口する開口端３となっており、ワイパーブレード４０が挿入される。図５に示すように、包装袋１にワイパーブレード４０を挿入すると、ガゼットシート３０が立ち上がる。これにより、包装袋１は、ワイパーブレード４０の形状に適合した外形となり、断面視において略三角形形状になる。
【００２８】
図６を参照して、開口端３から下方に離れた位置において、表シート１０に折り返し部１６が設けられ、裏シート２０に折り返し部２６が設けられる。折り返し部１６，２６は、ミシン目によって形成される。ミシン目は、表シート１０、裏シート２０およびガゼットシート３０にまたがって設けられる。折り返し部１６，２６において、裏シート２０側に折り返すことで、ヘッダー部１７が形成される。なお、折り返し部１６，２６は、たとえば線シールなど他の方法で形成されてもよい。
【００２９】
ヘッダー部１７は、折り返し部１６，２６の開口端３（紙面の上方）側に設けられる上方部１３，２３と、折り返し部１６，２６の下方側に設けられる下方部１２，２２とを含む。ヘッダー部１７の下方部１２，２２には、第１貫通孔１４，２４が設けられ、上方部１３，２３には第２貫通孔１５，２５が設けられる。第１貫通孔１４，２４および第２貫通孔１５，２５は、円形であるが、たとえば三角形、矩形など三角形であってもよい。また、図７に示すように、第１貫通孔１４，２４の外形は同一であり、第２貫通孔１５，２５の外形もまた同一である。
【００３０】
第１貫通孔１４，２４は、第２貫通孔１５，２５と上下方向（長手方向）に間隔をあけて設けられる。具体的には、図７に示すように、第１貫通孔１４，２４および第２貫通孔１５，２５は、表シート１０および裏シート２０を重ね合わせて、折り返し部１６で折り返した場合に重なる位置に設けられる。
【００３１】
第１貫通孔１４，２４の外形は、第２貫通孔１５，２５の外形よりも小さい。具体的には、第１貫通孔１４，２４の外径寸法は、第２貫通孔１５，２５の外径寸法よりも小さい。図７に示すように、折り返し部１６，２６で折り返してヘッダー部１７を形成する場合に、第１貫通孔１４，２４と第２貫通孔１５，２５の位置が完全に一致していなくても、第１貫通孔１４を通して第２貫通孔１５が見えない。そのため、第１貫通孔１４，２４と第２貫通孔１５，２５の位置合わせをする必要がないため、包装作業を簡易化することができる。
【００３２】
また、図６（ｂ）に示すように、裏シート２０の上方位置には、接着テープ１８が設けられる。接着テープ１８上の剥離紙を取り外すことにより、折り返し部１６，２６を裏シート２０側に折り返した状態で固定し、ヘッダー部１７を形成することができる。
【００３３】
＜ワイパーブレード用包装袋の製造方法について＞
図８を参照して、本実施の形態の包装袋１の製造方法の一例を説明する。本実施の形態において、包装袋１の製造は、大型の装置を用いて連続的に行われるが、以下の説明では、理解容易のため、それぞれの工程ごとに説明する。なお、図８において、ロール材５０の引き出し方向をＢ、引き出し方向Ｂと直行する方向を幅方向という。
【００３４】
図８（ａ）を参照して、包装袋１の表シート１０および裏シート２０となるべきロール材５０を準備する。ロール材５０の本体シート５１には、包装袋１の表シート１０に印刷される表模様１１、および、包装袋１の裏シート２０に印刷される裏模様２１が対になって、幅方向に２つずつ印刷されている。
【００３５】
図８（ｂ）を参照して、ロール材５０から連続的に本体シート５１を引き出し、本体シート５１の幅方向中央部で半折りする。具体的には、２つの表模様１１および裏模様２１の間に平板（図示せず）を挟んで、本体シート５１を半折りしていく。さらに、山折となる部分の端をスリット刃６１で切断し、第１シート５２と、第１シート５２に重ねられる第２シート５３に分離する。
【００３６】
図８（ｃ）を参照して、第１シート５２と第２シート５３の幅方向両端部に、中央部で半折りされた半折りシート５４をそれぞれ挿入する。半折りシート５４は、包装袋１において、ガゼットシート３０になるべきシートである。図示を省略するが、半折りシート５４は、本体シート５１と同様に、ロール状のロール材から引き出されるものである。
【００３７】
図８（ｄ）を参照して、第１，２シート５２，５３の幅方向の両端部５５、引き出し方向の上流に位置する上流部５６、および、表模様１１と裏模様２１との境界部５７に熱シール（熱溶着）を行う。両端部５５については、半折りシート５４の上片５４ａ（図８（ｄ））が第１シート５２に溶着し、半折りシート５４の下片５４ｂ（図８（ｄ））が第２シート５３に溶着するように熱シールを行う。これにより、両端部５５、上流部５６および境界部５７がそれぞれ溶着される。なお、図８（ｄ）および図８（ｅ）において、熱シールを施した部分を、網掛け模様で示している。
【００３８】
図８（ｅ）を参照して、たとえば抜き加工により、ミシン目１６，２６（ミシン目２６については図示せず）および第１，２貫通穴１４，２４，１５，２５（第１，２貫通穴２４，２５については図示せず）を形成する。２つのスリット刃６２で両端部５５を切断して包装袋１の外形を整え、１つのスリット刃６３で境界部５７を切断する。さらに、上流部５６を切断刃６４で切断する。このようにして、本体シート５１の幅方向において、包装袋１を２つずつ製造することができる。これにより、簡易な製造方法で包装袋を量産することができる。
【００３９】
なお、本実施の形態において、ヘッダー部１７は、折り返し部１６で折り返すことで形成されるとして説明したが、表シート１０および裏シート２０とは別にヘッダー部１７が取り付けられていてもよい。また、包装袋１にヘッダー部１７が設けられていなくてもよい。
【００４０】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００４１】
１  包装袋（ワイパーブレード用包装袋）、２  閉鎖端、３  開口端、１０  表シート
１０ａ  一方側縁、１０ｂ  他方側縁、１１  表模様、１２  下方部、１３  上方部、１４  第１貫通孔、１５  第２貫通孔、１６  折り返し部（ミシン目）、１７  ヘッダー部、１８  接着テープ、２０  裏シート、２０ａ  一方側縁、２０ｂ  他方側縁、２１  裏模様、２２  下方部、２３  上方部、２４  第１貫通孔、２５  第２貫通孔、２６  折り返し部（ミシン目）、３０  ガゼットシート、３０ａ  一方側縁、３０ｂ  他方側縁、３１  側縁領域、３２  他方側縁領域、４０  ワイパーブレード、５０  ロール材、５１  シート、５２  第１シート、５３  第２シート、５４  両端部、５５  底部、５６  境界部、６１，６２，６３  スリット刃、６４  切断刃。
【図１】
2019218094.tif 000003
【図２】
2019218094.tif 000004
【図３】
2019218094.tif 000005
【図４】
2019218094.tif 000006
【図５】
2019218094.tif 000007
【図６】
2019218094.tif 000008
【図７】
2019218094.tif 000009
【図８】
2019218094.tif 000010
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
ワイパーブレードを内部に収容するワイパーブレード用包装袋において、
一方側縁および他方側縁を有する、長尺状の表シートと、
一方側縁および他方側縁を有し、その一方側縁が前記表シートの一方側縁に固着される、長尺状の裏シートと、
一方側縁および他方側縁を有し、その一方側縁が前記表シートの他方側縁に固着され、その他方側縁が前記裏シートの他方側縁に固着される、長尺状のガゼットシートとを備えることを特徴とする、ワイパーブレード用包装袋。
【請求項２】
前記表シート、前記裏シートおよび前記ガゼットシートの長手方向の一方端は、互いに固着されて閉鎖端となり、
前記表シート、前記裏シートおよび前記ガゼットシートの長手方向の他方端は、開口する開口端となる、請求項１に記載のワイパーブレード用包装袋。
【請求項３】
前記閉鎖端は、前記ガゼットシートの一方側縁領域が前記表シートに固着されており、前記ガゼットシートの他方側縁領域が前記裏シートに固着されており、
前記表シートおよび前記裏シートにおける前記ガゼットシートに固着されていない部分は、互いに固着されている、請求項２に記載のワイパーブレード用包装袋。
【請求項４】
前記開口端から下方に離れた位置において、ミシン目または線シールによって形成される折り返し部が設けられ、
前記折り返し部で裏側に折り返すことでヘッダー部が形成される、請求項２または３に記載のワイパーブレード用包装袋。
【請求項５】
前記ヘッダー部には、前記表シートおよび前記裏シートを重ね合わせて、前記折り返し部で折り返した場合に重なる位置において、第１貫通孔と、前記第１貫通孔と長手方向に間隔をあけて設けられる第２貫通孔とが設けられ、
前記第１貫通孔は、前記第２貫通孔よりも小さい、請求項４に記載のワイパーブレード用包装袋。
【請求項６】
ワイパーブレードを内部に収容するワイパーブレード用包装袋の製造方法において、
一方側縁および他方側縁を有する、長尺状の表シートと、一方側縁および他方側縁を有する、長尺状の裏シートと、一方側縁および他方側縁を有する、長尺状のガゼットシートとを準備する工程と、
前記表シートの他方側縁および前記裏シートの他方側縁の間にガゼットシートを挿入する工程と、
前記表シートの一方側縁と前記裏シートの一方側縁、前記表シートの他方側縁と前記ガゼットシートの一方側縁、および、前記裏シートの他方側縁と前記ガゼットシートの他方端部とを固着する工程とを備えることを特徴とする、ワイパーブレード用包装袋の製造方法。
【請求項７】
一方側縁および他方側縁を有する、長尺状の表シートと、
一方側縁および他方側縁を有し、その一方側縁が前記表シートの一方側縁に固着される、長尺状の裏シートと、
一方側縁および他方側縁を有し、その一方側縁が前記表シートの他方側縁に固着され、その他方側縁が前記裏シートの他方側縁に固着される、長尺状のガゼットシートとを備えることを特徴とする、包装袋。
【手続補正３】
【補正対象書類名】明細書
【補正対象項目名】００１８
【補正方法】変更
【補正の内容】
【００１８】
図１に示すように、本実施の形態に係るワイパーブレード用包装袋１は、ワイパーブレード４０を内部に収容する包装袋である。以下、ワイパーブレード用包装袋１について説明するが、本発明の包装袋の構造的特徴は、長尺状の表シートと、表シートの一方側縁に固着される長尺状の裏シートと、表シートの他方側縁および裏シートの他方側縁に固着される長尺状のガゼットシートとを備えることである。以下の説明において、ワイパーブレード用包装袋１を、単に包装袋という。